(57)【要約】【課題】両面に情報（画像）有する原稿を同時に流し読み方式で読み取る場合における読み取り情報（画像）の劣化を防止することができる情報読取装置を提供する。【解決手段】原稿自動搬送手段により複数枚の原稿を連続して搬送して、前記原稿の情報（画像）を読み取り手段により読み取リ（ステップＳ１１０８）、その際に、搬送される原稿と原稿との間において前記原稿を照射する光源の光量変動を検出し（ステップＳ１１１０）、所定値以上の光量変動が検出された場合（ステップＳ１１１１）、前記読取手段のシェーディング補正を実行するためのシェーディング補正係数を更新する（ステップＳ１１０３、ステップＳ１１０４）。【選択図】      図１１
2004357144.tif 000002
【特許請求の範囲】
【請求項１】
両面に情報を有する原稿を原稿自動搬送手段により搬送しながら前記原稿の両面の情報を読取手段により同時に読み取ることが可能な情報読取装置であって、
前記原稿を複数枚連続して前記原稿自動搬送手段により搬送して原稿の情報を読み取る際の搬送される原稿と原稿との間において前記原稿を照射する光源の光量変動を検出する検出手段と、
前記検出手段により所定値以上の光量変動が検出された場合に前記読取手段のシェーディング補正を実行するためのシェーディング補正係数を更新するように制御する制御手段とを有することを特徴とする情報読取装置。
【発明の詳細な説明】
【０００１】
【発明の属する技術分野】
本発明は、原稿自動搬送手段によって搬送された原稿の情報（画像等）を読み取る複写機等の情報読取装置に関する。
【０００２】
【従来の技術】
従来、原稿自動搬送手段によって搬送された原稿の情報を読み取る画像（情報）読取装置として、複写機が知られている。
【０００３】
このような複写機では、原稿自動搬送手段により原稿を原稿台ガラス上に移動・載置した後に、原稿を照射するための光源を搭載したミラーユニットを前記原稿台ガラス上に移動させることにより、原稿の画像を読み取る構成であった。
【０００４】
しかし、最近では単位時間当たりの原稿読取枚数を増加させるために、ミラーユニットを所定位置で固定し、原稿自動搬送手段により原稿を読取手段へ搬送しながら原稿の画像を読み取る、所謂流し読み方式が採用されつつある（先行技術文献の開示はありません）。
【０００５】
更に、原稿の両面にある画像を高速で読み取るために、原稿の裏面の画像を読み取るセンサを原稿自動搬送手段に配置し、両面に画像を有する原稿を原稿自動搬送手段により搬送しながら、原稿の両面にある画像を同時に読み取る方式が提案されている（先行技術文献の開示はありません）。
【０００６】
原稿を流し読み取り方式で読み取る場合には、原稿を多数枚連続で読み取ることになるため、キセノン管ランプの点灯時間が数分間に及ぶ場合には、その光量が変動してしまい、原稿の画像が正確に読み取れない場合があった。
【０００７】
このような問題を解消するために、流し読み原稿読取ガラスの端部には、光量基準白板が貼付されており、この光量基準白板を読み取った場合に得られるデータに応じて、公知のシェーディング補正回路で画像データを補正している。
【０００８】
具体的には、通常、原稿台ガラス上に設けられた第１の基準白板を読み取った場合の読み取りデータが２４０レベル（８ｂｉｔ：０〜２５５）となるように各画素に対して補正係数を設定しているが、光量基準白板を読み取った場合に得られるデータが２％低下した場合には、第１の基準白板を読み取った場合の読み取りデータが２４５レベルとなるように、つまり、原稿の読み取り情報信号のレベルが２％増加するように、補正係数をリアルタイムで変更して、キセノン管ランプの光量変動を補正している。
【０００９】
同様に第２の読取部では、第２の基準白板を読み取ることにより、公知のシェーディング補正回路で読み取りデータを補正している（特許文献３参照）。
【００１０】
【特許文献１】
特開２００１−３５２４３４公報
【００１１】
【発明が解決しようとする課題】
しかし、上述した従来の画像読取装置においては、読み取るべき原稿が白黒原稿の場合には、前記補正方法を用いれば、光源であるキセノン管ランプの光量変動の影響が原稿の読み取り画像に表れることはないが、読み取るべき原稿がカラー原稿の場合には、キセノン管ランプの光量変動に伴う配光の微妙な変動及び発光周波数特性の微妙な変動が原稿の読み取り画像に表れてしまい、正確に原稿の画像を読み取ることができなかった。
【００１２】
本発明は、このような従来技術の有する問題点を解消するためになされたものであり、その目的は、両面に情報（画像）有する原稿を同時に流し読み方式で読み取る場合における読み取り情報（画像）の劣化を防止することができる情報読取装置を提供することである。
【００１３】
【課題を解決するための手段】
上記目的を達成するために、本発明の情報読取装置は、両面に情報を有する原稿を原稿自動搬送手段により搬送しながら前記原稿の両面の情報を読取手段により同時に読み取ることが可能な情報読取装置であって、前記原稿を複数枚連続して前記原稿自動搬送手段により搬送して原稿の情報を読み取る際の搬送される原稿と原稿との間において前記原稿を照射する光源の光量変動を検出する検出手段と、前記検出手段により所定値以上の光量変動が検出された場合に前記読取手段のシェーディング補正を実行するためのシェーディング補正係数を更新するように制御する制御手段とを有することを特徴とする。
【００１４】
【発明の実施の形態】
以下、本発明の一実施の形態を、図面に基づき説明する。
【００１５】
尚、本実施の形態では、本発明の適用例として複写機が示されているが、これに限るものではなく、他の種々の装置に適応できることは言うまでもない。
【００１６】
図１は、本実施の形態に係る画像（情報）読取装置であるカラー複写機の内部構成を示す側断面図であり、このカラー複写機は、流し読み方式を採用したものである。
【００１７】
図１に示すように、カラー複写機は、原稿自動搬送手段１００と、イメージスキャナ部１０１と、プリンタ部１０２とを主構成要素としている。
【００１８】
原稿自動搬送手段１００は、原稿をイメージスキャナ部１０１に搬送する。イメージスキャナ部１０１は、原稿を読み取り、デジタル信号処理を行う。プリンタ部１０２は、イメージスキャナ部１０１で読み取られた原稿の画像（情報）に対応した画像を、記録用紙等の記録用シートにフルカラーでプリント出力する。
【００１９】
以下、原稿表面の画像の読み取り動作について説明する。
【００２０】
イメージスキャナ部１０１において、原稿台ガラス（以下、プラテンと記述する。）１０３上の原稿１０４は、光源であるキセノン管ランプ１０５の光で照射され、原稿１０４からの反射光は、反射ミラー１０６及び反射ミラー１０７に導かれ、レンズ１０８により３ラインイメージセンサ部１０９上に結像される。３ラインイメージセンサ部１０９は、レッド（Ｒ）成分、グリーン（Ｇ）成分及びブルー（Ｂ）成分にそれぞれ対応するセンサ（受光素子）１０９−１，１０９−２，１０９−３を有している。そして、前記反射光から、フルカラー画像であるレッド（Ｒ）成分、グリーン（Ｇ）成分及びブルー（Ｂ）成分にそれぞれ対応する電気信号を取り出して、信号処理部１１０へ送信する。
【００２１】
信号処理部１１０では、３ラインイメージセンサ部１０９から送信された各電気信号に所定の信号処理を施した後、プリンタ部１０２に出力する。このプリンタ部１０２では、信号処理部１１０からの信号に基づいて、原稿１０４の画像と同じ複写画像を形成する。
【００２２】
尚、キセノン管ランプ１０５及び反射ミラー１０６を有する第１のミラーユニット１１１は速度Ｖで、反射ミラー１０７を有する第２のミラーユニット１１２は速度Ｖ／２で、３ラインイメージセンサ部１０９の電気的走査方向（以下、主走査方向と記述する。）に対して垂直方向（以下、副走査方向と記述する。）に、図示しないモータにより駆動されて、原稿１０４の全面が走査される。
【００２３】
流し読み原稿読取ガラス１１３の端部には、図３に示すように、光量基準白色板３０１が貼付されており、この光量基準白色板３０１を読み取ったときに得られるデータに応じて、公知のシェーディング補正回路で読み取り画像データを補正している。
【００２４】
標準白色板１１４は、キセノン管ランプ１０５を使用時の３ラインイメージセンサ部１０９の読み取り画像データの補正に用いる。
【００２５】
また、原稿自動搬送手段１００を用いて原稿１０４を流し読み方式で読み取る場合には、第１のミラーユニット１１２を流し読み原稿読取ガラス１１３の下に保持し、原稿を原稿自動搬送手段１００で連続して搬送することにより、原稿の連続読み取りを短時間で実現できる。
【００２６】
イメージスキャナ部１０１では、第１の読取部として装置内の第１のミラーユニット１１１と原稿とを相対的に移動させながら、原稿の表面にある画像を読み取る。
【００２７】
原稿自動搬送手段１００では、第２の読取部として密着型イメージセンサ部と原稿とを相対的に移動させながら原稿の裏面にある画像を読み取る。密着型イメージセンサ部は、図示していないが、光源であるキセノン管ランプ、レンズ及びコンタクトイメージセンサから構成されている。
【００２８】
尚、図１において、１１８はレーザドライバ、１１９は半導体レーザ、１２０はポリゴンミラー、１２１はｆ−θレンズ、１２２はミラー、１２３は感光ドラム、１２４は回転現像器、１２５はマゼンダ現像器、１２６はシアン現像器、１２７はイエロー現像器、１２８はブラック現像器、１２９は転写ドラム、１３０は用紙カセット、１３１は用紙カセット、１３２は定着ユニットである。
【００２９】
図２は、原稿自動搬送手段１００の内部構成を示す側断面図であリ、同図において、１００は原稿自動搬送手段、２０１は原稿、２０２は原稿とレイ、２０３は原稿給紙ローラ、２０４は分離パッド、２０５は中間ローラ対、２０６は大径ローラ、２０６は、２０７は第１従動ローラ、２０８は第２従動ローラ、２０９は原稿ガイド板、２１０はジャンプ台、２１１は第３従動ローラ、２１２は第２の基準白色板、２１３は原稿排紙ローラ対、２１４は密着型イメージセンサ部、２１５は（御教示下さい。）である。
【００３０】
図２に示すように、原稿２０１は、原稿トレイ２０２の上に載置セットされる。原稿給紙ローラ２０３は、分離パッド２０４と対になっていて、原稿２０１を１枚ずつ給送する。給送された原稿２０１は、中間ローラ対２０５で更に装置内に送られ、大径ローラ２０６と第１従動ローラ２０７とによる搬送系に渡され、大径ローラ２０６を回る形で第２従動ローラ２０８による搬送が行われる。大径ローラ２０６と第２従動ローラ２０８とで搬送される原稿２０１は、流し読み原稿読取ガラス１１３と原稿ガイド板２０９との間を通り、ジャンプ台２１０を経て再び大径ローラ２０６と第３従動ローラ２１１とにより搬送される。流し読み原稿読取ガラス１１３と原稿ガイド板２０９との間では、原稿ガイド板２０９により原稿２０１は、流し読み原稿読取ガラス１１３に接触する状態で搬送される。
【００３１】
原稿２０１が搬送される前に、第１、第２の読取部でシェーディング補正を行う。第１の読取部は、第１の基準白色板１１４（図１参照）を読み取り、第２の読取部は、第２の基準白色板２１２を読み取ることによって、それぞれ適正な白色レベルを得ることにより、公知であるシェーディング補正を行う。
【００３２】
原稿２０１は、流し読み原稿読取ガラス１１３上を通過する際に、露光部により流し読み原稿読取ガラス１１３に接している面を露光される。前記露光部は、露光することにより原稿２０１から反射して来る原稿画像情報を第１ミラーユニット１１１（図１参照）に伝達する。伝達された原稿画像情報は、レンズ１０８（図１参照）を通過し集光されて、ＣＣＤ３ラインイメージセンサ部１０９（図１参照）にて電気信号として変換される。
【００３３】
以上の過程で原稿２０１の第１の面（表面）の画像が読み取られる。
【００３４】
次に、大径ローラ２０６と第３従動ローラ２１１とにより搬送された原稿２０１は、その第２の面（裏面）の画像が、原稿排紙ローラ対２１３の方向へ搬送される過程で密着型イメージセンサ部２１４によって読み取られ、その後、装置外部へ排出される。
【００３５】
再び図１に戻って説明すると、信号処理部１１０では、ＣＣＤ３ラインイメージセンサ部１０９によって読み取られた原稿の表面画像信号及び密着型イメージセンサ部２１４（図２参照）によって読み取られた原稿の裏面画像信号を、それそれデジタル信号に変換し、所定の処理を施した後に、一旦メモリ（図示せず）に記憶する。そして、原稿がカラー画像の場合には、プリンタ部１０２の画像形成プロセスに同期させてマゼンタ（Ｍ）、シアン（Ｃ）、イエロー（Ｙ）、ブラック（ＢＫ）の各成分に分解した画像信号をプリンタ部１０２に送信する。また、原稿が白黒画像の場合には、信号処理部１１０内の前記メモリに記憶した画像信号をデジタル処理し、プリンタ部１０２の画像形成プロセスに同期させてブラック（ＢＫ）成分の画像信号をプリンタ部１０２に送信する。
【００３６】
イメージスキャナ部１０１から送信されて来るＭ，Ｃ，Ｙ，ＢＫの各画像信号は、レーザドライバ１１２に送信される。レーザドライバ１１８は、送信された画像信号に応じて、半導体レーザ１１３を変調駆動する。レーザ光は、ポリゴンミラー１２０、ｆ−θレンズ１２１及びミラー１２２を介して、感光ドラム１２３上を走査する。
【００３７】
回転現像器１２４は、マゼンタ現像器１２５、シアン現像器１２６、イエロー現像器１２７及びブラック現像器１２８によって構成され、これら４つの現像器１２５〜１２８が交互に感光ドラム１２３に接し、この感光ドラム１２３上に形成されたＭ，Ｃ，Ｙ，ＢＫの各静電潜像を対応するトナー現像器により現像する。
【００３８】
転写ドラム１２９は、第１の用紙カセット１３０または第２の用紙カセット１３１から給紙された用紙を巻き付け、該用紙に感光ドラム１２３上に現像されたトナー像を転写する。
【００３９】
このようにして、順次Ｍ，Ｃ，Ｙ，ＢＫの４色が用紙に転写された後、この用紙は、定着ユニット１３２を通過して装置外部へ排出される。
【００４０】
また、オペレータが両面プリントを望む場合には、片面画像を用紙に定着した後に、図示しない反転ユニットで用紙を裏返し、上述のプリント動作を繰り返した後、両面画像をプリント出力する。
【００４１】
図４は、ＣＣＤ３ラインイメージセンサ部１０９の構成の一例を示す図である。
【００４２】
図４において、１０９はＣＣＤ３ラインイメージセンサ部で、Ｒ，Ｇ，Ｂの各センサ（受光素子）１０９−１，１０９−２，１０９−３を有しており、これら各センサ１０９−１〜１０９−３は、それぞれＲ，Ｇ，Ｂの各波長成分を読み取るためのものである。
【００４３】
この３本の異なる光学特性を持つＣＣＤ３ラインイメージセンサ部１０９は、そのＲ，Ｇ，Ｂの各センサ１０９−１〜１０９−３が原稿の同一ラインを読み取るべく互いに平行に配置されるように、同一のシリコンチップ上にモノリシックに構成されている。
【００４４】
図５は、前記図４の受光素子であるＲ，Ｇ，Ｂの各センサ１０９−１〜１０９−３の拡大図である。
【００４５】
図５に示すように、各センサ１０９−１〜１０９−３は、主走査方向に一画素当たり、例えば、１０μｍの幅を有している。そして、各センサ１０９−１〜１０９−３は、Ａ３サイズの原稿の短手方向（２９７ｍｍ）を６００ｄｐｉの解像度（一画素のサイズは４２．３３μｍ角）で読み取ることができるように、主走査方向に７５００画素ある。即ち、原稿画像は、レンズ１０８（図１参照）により１／４．２３３（＝１０／４２．３３）に縮小されてＣＣＤ３ラインイメージセンサ部１０９上に結像される。また、Ｒ，Ｇ，Ｂの各センサ１０９−１〜１０９−３のライン相互間距離は、例えば、８０μｍであり、６００ｌｐｉの副走査解像度に対して各８ラインずつ離れている。更に、各センサ１０９−１〜１０９−３は、Ｒ，Ｇ，Ｂの所定の分光特性を得るために、その表面に光学的なフィルタが形成されている。
【００４６】
図６は、密着型イメージセンサ部（以下、ＣＩＳと記述する。）２１４（図２参照）の構成の一例を示す図である。
【００４７】
図６において、受光素子である各センサ２１４−１，２１４−２，２１４−３は、それぞれＲ，Ｇ，Ｂの各波長成分を読み取るためのものである。
【００４８】
この３本の異なる光学特性を持つ密着型イメージセンサ部２１４は、Ｒ，Ｇ，Ｂの各センサ２１４−１〜２１４−３が原稿２０１の同一ラインを読み取るべく互いに平行に配置されるように、同一のシリコンチップ上にモノリシックに構成されている。
【００４９】
図６に示すように、受光素子である各センサ２１４−１〜２１４−３は、主走査方向に一画素当たり、４２．３３μｍの幅を有している。即ち、各センサ２１４−１〜２１４−３は、Ａ３サイズの原稿の短手方向（２９７ｍｍ）を６００ｄｐｉの解像度で読み取ることができるように、主走査方向に７５００画素ある。また、Ｒ，Ｇ，Ｂの各センサ２１４−１〜２１４−３の相互間距離は、例えば、０であり、６００ｌｐｉの副走査解像度に対して各１ラインずつ離れている。更に、各センサ２１４−１〜２１４−３は、Ｒ，Ｇ，Ｂの所定の分光特性を得るために、その表面に光学的なフィルタが形成されている。
【００５０】
図７は、イメージスキャナ部１０１の構成を示すブロック図である。ここではＣＣＤ３ラインイメージセンサ部１０９の出力信号を処理するブロックについて説明するが、ＣＩＳ２１４の出力信号処理は、ＣＣＤ３ラインイメージセンサ部１０９の各センサ１０９−１〜１０９−３相互間及びＣＩＳ２１４の各センサ２１４−１〜２１４−３相互間の物理的距離の補正処理以外は同様の処理を行うため、ここでは、その説明を省略する。
【００５１】
図７において、１０９はＣＣＤ３ラインイメージセンサ部、１０９−１〜１０９−３はＲ，Ｇ，Ｂの各センサ、７０１はアナログ信号処理部、７０２はシェーディング補正部、７０３はラインメモリ、７０４は係数メモリ、７０５は乗算器、７０６，７０７，７０８はディレイ素子、７０９は第１のルックアプテーブル（以下、ＬＵＴと記述する。）、７１０はメモリ、７１１，７１２，７１３はｌｏｇ変換器、７１４は第２のルックアプテーブル（以下、ＬＵＴと記述する。）、７１５はマスキング／ＵＣＲ回路である。
【００５２】
図７において、ＣＣＤ３ラインイメージセンサ部１０９及びＣＩＳ２１４から出力される画像信号はアナログ信号処理部７０１に入力され、このアナログ信号処理部７０１内で８ｂｉｔのデジタル画像信号に変換された後に、シェーディング補正部７０２に入力される。
【００５３】
図８は、アナログ信号処理部７０１の構成を示すブロック図である。ここでは、Ｒ，Ｇ，Ｂの処理回路が全て同一であるため、１色分の回路のみが示されている。
【００５４】
図８において、８０１はサンプル＆ホールド（Ｓ／Ｈ）回路、８０２は第１のクランプ回路、８０３は可変増幅器、８０４は第２のクランプ回路、８０５はＡ／Ｄ変換器、８０６は電圧コントロール回路である。
【００５５】
図８において、ＣＣＤ３ラインイメージセンサ部１０９及びＣＩＳ２１４から出力された画像信号は、サンプル＆ホールド（Ｓ／Ｈ）回路８０１でアナログ信号の波形を安定させるためにサンプル＆ホールドされる。図示しないＣＰＵは、電圧コントロール回路８０６を介して、画像信号がＡ／Ｄ変換器８０５のダイナミックレンジをフルに活用できるように、可変増幅器８０３及び第２のクランプ回路８０４を制御する。Ａ／Ｄ変換器８０５は、アナログ画像信号を、例えば、８ｂｉｔのデジタル画像信号に変換する。
【００５６】
図７に戻り、８ｂｉｔのデジタル画像信号は、シェーディング補正部７０２において、公知のシェーディング補正方法によってシェーディング補正処理が施される。シェーディング補正データ読み取り時、ＣＣＤ３ラインイメージセンサ部１０９及びＣＩＳ２１４からの読み取り信号に対して、前記ＣＰＵは、３ラインイメージセンサ部１０９の場合は、第１の基準白色板１１４（図１参照）からの１ライン分の読み取り信号をラインメモリ７０３に記憶し、ＣＩＳ２１４の場合は、第２の基準白色板２１２（図２参照）からの１ライン分の読み取り信号をラインメモリ７０３に記憶し、このラインメモリ７０３に記憶された各画素の読み取りデータを所定レベル、例えば、２４０にするためのシェーディング補正係数を画素毎に求め、これを１ライン分の係数メモリ７０４に記憶する。そして、実際の原稿読み取り時にＣＣＤ３ラインイメージセンサ部１０９及びＣＩＳ２１４のライン読み取りによる各画素の出力に同期して、その画素に対応するシェーディング補正係数を係数メモリ７０４から読み出して、乗算器７０５でＣＣＤ３ラインイメージセンサ部１０９及びＣＩＳ２１４からの各画素信号に乗算することによりシェーディング補正処理を行う。
【００５７】
原稿を流し読み方式で読み取る場合には、原稿と原稿との間で、第１の読み取り部においては、流し読み原稿読み取りガラス１１３（図１及び図３参照）の主走査方向の端部に貼付された光量基準白色板３０１（図３参照）の主走査方向の端部を、第２の読み取り部においては、第２の基準白色板２１２（図２参照）の主走査方向の端部をそれぞれ読み取って得られるデータを、原稿相互間毎に最初に読み取った値と比較することにより光量の変動を検知し、所定値以上に光量変動が検出された場合には、シェーディング補正処理のための補正データの取り込み動作を再度行うことにより光量変動を補正する。
【００５８】
次に、ＣＣＤ３ラインイメージセンサ部１０９の物理的距離の補正について説明する。
【００５９】
図６に示したように、ＣＣＤ３ラインイメージセンサ部１０９の各センサ１０９−１，３ラインセンサ１０９−２及び３ラインセンサ１０９−３、及びＣＩＳ２１４の各センサ２１４−１，２１４−２，２１４−３は、一定の距離を隔てて配置されているため、ディレイ素子７０６〜７０８によって副走査方向の空間的ずれを補正している。具体的には、ＣＣＤ３ラインイメージセンサ部１０９では、第１ミラーユニット１１１（図１参照）を走査して原稿を読み取る圧板読みの場合には、Ｂ信号に対して副走査方向で先に読み込まれたＧ，Ｒの各信号を、それぞれ８ライン分、１６ライン分副走査方向に遅延させることによりＢ信号に重畳する。
【００６０】
また、原稿を原稿自動搬送装置１００で搬送しながら、その画像を読み取る流し読みの場合には、Ｒ信号に対して副走査方向で先に読み込まれたＧ，Ｂの各信号を、それぞれ８ライン分、１６ライン分副走査方向に遅延させることによりＲ信号に重畳する。ＣＩＳ２１４では、Ｂ信号に対して副走査方向で先に読み込まれたＧ，Ｒの各信号を、それぞれ１ライン分、２ライン分副走査方向に遅延させることによりＢ信号に重畳する。
【００６１】
第１のＬＵＴ７０９は、原稿画像読み取り信号の階調性を補正するためのものである。
【００６２】
図９に示す所定濃度の画像が描かれた原稿をプラテン１０３の上に載置して、その原稿の画像データを読み取り、図１０に示すように、読み取りレベル１００１に直線性がない場合には、直線性を得るために補正曲線１００２で入力信号を補正して、出力１００３を得るようにしている。
【００６３】
図７のメモリ７１０は、画像信号を一旦記憶し、プリンタ部１０２（図１参照）に同期させて画像信号を出力する。また、メモリ７１０では、圧板読みの場合と流し読みの場合とでメモリ７１０に入力されて来る画像信号の順番が異なるため、メモリ７１０からの出力時に画像信号の出力順番を変更することにより画像の向きを調整し、一定方向のプリント出力が可能となるように処理する。また、メモリ７１０からは、所定濃度（以下、「ＰＧ」と記述する。）のデータを出力し、プリンタ部１０２によって図９に示す画像と同様のＰＧ画像を生成する。
【００６４】
ｌｏｇ変換器７１１〜７１３は、ルックアップテーブルＲＯＭにより構成され、輝度信号を濃度信号に変換するものである。第２のＬＵＴ７１４は、第１のＬＵＴ７０９と同様の回路でプリンタ部１０２の階調補正を行う。
【００６５】
メモリ７１０から出力されたＰＧデータに基づいたＰＧ画像は、イメージスキャナ部１０１（図１参照）によって読み取られ、この読み取られたデータとメモリ７１０から出力されたＰＧデータとが比較され、ＰＧ画像に直線性が得られない場合には、図１０に示すように補正曲線で入力信号が補正されて出力される。
【００６６】
マスキング／ＵＣＲ回路７１５は、公知のものであり、その詳細な説明は省略するが、入力された３原色信号により出力のためのＹ，Ｍ，Ｃ，ＢＫの信号が各読み取り動作のたびに順次所定のビット長、例えば、８ｂｉｔで出力される。
【００６７】
以上の各回路は、図示しないＣＰＵによって制御される。
【００６８】
以下、上述のように構成された本実施の形態に係る画像読取装置の動作について、図１１のフローチャートを用いて説明する。
【００６９】
図１１において、オペレータが原稿２０１を原稿自動搬送装置１００の原稿給紙トレイ２０２の上にセットし（ステップＳ１１０１）、スタートキーによりコピー動作をスタートさせる（ステップＳ１１０２）。これにより不図示のＣＰＵは、第１の読み取り部において第１のミラーユニット１１１を第１の基準白色板１１４の下に移動させ、１ライン分のシェーディング補正用データをＣＣＤ３ラインイメージセンサ部１０９で読み取り、演算で求めたシェーディング補正係数をシェーディング補正部７０２内の係数メモリ７０４にセットする（ステップＳ１１０３）。また、第２の読み取り部において第２の基準白色板２１２をＣＩＳ２１４で読み取り、演算で求めたシェーディング補正係数をシェーディング補正部７０２内の係数メモリ７０４にセットする（ステップＳ１１０４）。
【００７０】
次に、第１のミラーユニット１１１を流し読み原稿ガラス１１３の下に移動させる（ステップＳ１１０５）。
【００７１】
次に、第１の読み取り部では第１の基準白色板１１４の端部を読み取り、Ｒ，Ｇ，Ｂそれぞれの基準輝度レベルを、図示しないＣＰＵに付随するメモリに記憶させる（ステップＳ１１０６）。更に、第２の読み取り部では、第２の基準白色板２１２の端部を読み取り、Ｒ，Ｇ，Ｂそれぞれの基準輝度レベルを、図示しないＣＰＵに付随するメモリに記憶させる（ステップＳ１１０７）。
【００７２】
次に、原稿給紙ローラ２０３、分離パッド２０４で原稿２０１を１枚ずつ給送する。給送された原稿２０１は、中間ローラ対２０５で更に装置内に送られ、大径ローラ２０６と第１従動ローラ２０７とによる搬送系に渡され、大径ローラ２０６を回る形で第２従動ローラ２０８による搬送が行われる。大径ローラ２０６と第２従動ローラ２０８とで搬送される原稿２０１は、流し読み原稿読み取りガラス１１３と原稿ガイド板２０９との間を通り、ＣＣＤ３ラインイメージセンサ部１０９により原稿２０１の表面画像が読み取られる。表面画像を読み取られた原稿２０１は、ジャンプ台２１０を経て再び大径ローラ２０６と第３従動ローラ２１１とにより搬送される。大径ローラ２０６と第３従動ローラ２１１とにより搬送された原稿２０１は、原稿排紙ローラ対２１３の方向へ搬送される過程で、密着型イメージセンサ部２１４によって原稿２０１の裏面画像が読み取られ、読み取られた画像データは、表面、裏面ともにメモリ７１０に記憶され、その後、原稿２０１は装置外部へ排出される（ステップＳ１１０８）。
【００７３】
次に、原稿自動搬送装置１００では、次の原稿２０１があるか否かを判定し（ステップＳ１１０９）、次の原稿２０１がある場合には、次の原稿２０１が第１の読み取り部の読み取り位置に到達する前に、第１の読み取り部では、第１の基準白色板１１４の端部を読み取り、第２の読み取り部では、第２の基準色白板２１２の端部を読み取り（ステップＳ１１１０）、読み取った各基準白色板１１４，２１２の端部のＲ，Ｇ，Ｂ輝度データの全てが、前記ステップＳ１１０６及びステップＳ１１０７においてメモリ７１０に記憶された基準輝度レベルに対して±２％以内の場合には、次の原稿２０１に対しても流し読みを続け、また、読み取った各基準白色板１１４，２１２の端部のＲ，Ｇ，Ｂ輝度データの内のいずれか一つでも、前記ステップＳ１１０６及びステップＳ１１０７においてメモリ７１０に記憶した基準輝度レベルに対して±２％以上変動がある場合には（ステップＳ１１１１）、第１及び第２の読み取り部の両方でシェーディング補正データを読み取り、シェーディング補正係数をシェーディング補正部７０２内の係数メモリ７０４に再設定し（ステップＳ１１０３及びステップＳ１１０４）、以下、最終原稿の読み取りが終了するまで以上の読み取り動作を繰り返し、プリンタ部１０２の画像形成タイミングに従って、メモリ７１０から画像データをプリント出力し（ステップＳ１１１２）、その後、複写処理動作を終了する。
【００７４】
尚、本実施の形態では、第１及び第２の読み取り部のどちらか一方での光量変動が所定値を越えた場合には、第１及び第２の読み取り部の両方ともシェーディング補正係数を更新したが、光量変動が所定レベルを超えた読み取り部に関してだけシェーディング係数を更新するようにしても良い。
【００７５】
（他の実施の形態）
尚、上述した実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００７６】
この場合、記憶媒体から読出されたプログラムコード自体が本発明の新規な機能を実現することになり、そのプログラムコードを記憶した記憶媒体は本発明を構成することになる。
【００７７】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。また、通信ネットワークを介してサーバコンピュータからプログラムコードが供給されるようにしても良い。
【００７８】
また、コンピュータが読み出したプログラムコードを実行することにより、上述した実施の形態の機能が実現されるだけでなく、そのプログラムコードの指示に基づき、コンピュータ上で稼働しているＯＳ（オペレーティングシステム）等が実際の処理の一部または全部を行い、その処理によって上述した実施の形態の機能が実現される場合も含まれることは言うまでもない。
【００７９】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００８０】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００８１】
本発明の実施態様の例を以下に列挙する。
【００８２】
［実施態様１］  両面に情報を有する原稿を原稿自動搬送手段により搬送しながら前記原稿の両面の情報を読取手段により同時に読み取ることが可能な情報読取装置であって、
前記原稿を複数枚連続して前記原稿自動搬送手段により搬送して原稿の情報を読み取る際の搬送される原稿と原稿との間において前記原稿を照射する光源の光量変動を検出する検出手段と、
前記検出手段により所定値以上の光量変動が検出された場合に前記読取手段のシェーディング補正を実行するためのシェーディング補正係数を更新するように制御する制御手段とを有することを特徴とする情報読取装置。
【００８３】
［実施態様２］  両面に情報を有する原稿を読み取り位置に一枚ずつ自動的に搬送する原稿自動搬送手段と、該原稿自動搬送手段によって搬送中の原稿の第１の面に有る情報を読み取る第１の読取手段と、前記原稿自動搬送手段によって搬送中の原稿の第２の面に有る情報を読み取る第２の読取手段と、前記第１の読取手段のシェーディング補正を行う第１のシェーディング補正手段と、前記第２の読取手段のシェーディング補正を行う第２のシェーディング補正手段と、前記第１の読取手段において読み取られる原稿を照射する第１の光源と、前記第２の読取手段において読み取られる原稿を照射する第２の光源と、前記第１の光源の光量を検出する第１の検出手段と、前記第２の光源の光量を検出する第２の検出手段とを有する情報読取装置であって、
前記原稿を複数枚連続で前記原稿自動搬送手段により搬送することにより原稿画像を読み取る場合に、最初の原稿を読み取る前に前記第１及び第２の検出手段により前記第１及び第２の光源光量を検出した第１及び第２の初期光量値を記憶し、搬送される前記原稿と原稿との間で前記第１の検出手段及び前記第２の検出手段により前記第１及び第２の光源光量を検出し、前記光源光量が前記第１及び第２の初期光量値に対して所定以上の割合で変動した場合には、シェーディング補正を行うためのシェーディング補正係数を更新するように制御する制御手段を有することを特徴とする情報読取装置。
【００８４】
［実施態様３］  前記制御手段は、前記第１及び第２の読取手段の内のいずれか一方の読取手段のみで読み取りを行う際に、所定以上の割合で光源光量が変動した場合には、所定値以上の光量変動が発生した読取手段に対してのみシェーディング補正係数の更新を実行するように制御することを特徴とする実施態様２に記載の情報読取装置。
【００８５】
［実施態様４］  前記制御手段は、前記第１及び第２の読取手段の少なくとも一方の読取手段で読み取りを行う際に、所定以上の割合で光源光量が変動した場合には、前記第１及び第２の読取手段の両方に対してシェーディング補正係数の更新を実行するように制御することを特徴とする実施態様２に記載の情報読取装置。
【００８６】
［実施態様５］  両面に情報を有する原稿を原稿自動搬送工程により搬送しながら前記原稿の両面の情報を読取工程により同時に読み取ることが可能な情報読取方法であって、
前記原稿を複数枚連続して前記原稿自動搬送工程により搬送して原稿の情報を読み取る際の搬送される原稿と原稿との間において前記原稿を照射する光源の光量変動を検出する検出工程と、
前記検出工程により所定値以上の光量変動が検出された場合に前記読取工程のシェーディング補正を実行するためのシェーディング補正係数を更新するように制御する制御肯定とを有することを特徴とする情報読取方法。
【００８７】
［実施態様６］  両面に情報を有する原稿を読み取り位置に一枚ずつ自動的に搬送する原稿自動搬送工程と、該原稿自動搬送工程によって搬送中の原稿の第１の面に有る情報を読み取る第１の読取工程と、前記原稿自動搬送工程によって搬送中の原稿の第２の面に有る情報を読み取る第２の読取工程と、前記第１の読取工程のシェーディング補正を行う第１のシェーディング補正工程と、前記第２の読取工程のシェーディング補正を行う第２のシェーディング補正工程と、前記第１の読取工程において読み取られる原稿を第１の光源により照射する第１の照射工程と、前記第２の読取工程において読み取られる原稿を第２の光源により照射する第２の照射工程と、前記第１の光源の光量を検出する第１の検出工程と、前記第２の光源の光量を検出する第２の検出工程とを有する情報読取方法であって、
前記原稿を複数枚連続で前記原稿自動搬送工程により搬送することにより原稿の情報を読み取る場合に、最初の原稿を読み取る前に前記第１及び第２の検出工程により前記第１及び第２の光源光量を検出した第１及び第２の初期光量値を記憶し、搬送される前記原稿と原稿との間で前記第１の検出工程及び前記第２の検出工程により前記第１及び第２の光源光量を検出し、前記光源光量が前記第１及び第２の初期光量値に対して所定以上の割合で変動した場合には、シェーディング補正を行うためのシェーディング補正係数を更新するように制御する制御工程を有することを特徴とする情報読取方法。
【００８８】
［実施態様７］  前記制御工程は、前記第１及び第２の読取工程の内のいずれか一方の読取工程のみで読み取りを行う際に、所定以上の割合で光源光量が変動した場合には、所定値以上の光量変動が発生した読取工程に対してのみシェーディング補正係数の更新を実行するように制御することを特徴とする実施態様６に記載の情報読取方法。
【００８９】
［実施態様８］  前記制御工程は、前記第１及び第２の読取工程の少なくとも一方の読取工程で読み取りを行う際に、所定以上の割合で光源光量が変動した場合には、前記第１及び第２の読取工程の両方に対してシェーディング補正係数の更新を実行するように制御することを特徴とする実施態様６記載の情報読取方法。
【００９０】
［実施態様９］  両面に情報を有する原稿を原稿自動搬送手段により搬送しながら前記原稿の両面の情報を読取手段により同時に読み取ることが可能な情報読取装置を制御するためのコンピュータ読み取り可能な制御プログラムであって、前記原稿を複数枚連続して前記原稿自動搬送手段により搬送して原稿の情報を読み取る際の搬送される原稿と原稿との間において前記原稿を照射する光源の光量変動を検出する検出工程と、前記検出工程により所定値以上の光量変動が検出された場合に前記読取手段のシェーディング補正を実行するためのシェーディング補正係数を更新するように制御する制御工程とをコンピュータに実行させるためのプログラムコードから成ることを特徴とする情報読取装置の制御プログラム。
【００９１】
［実施態様１０］  両面に情報を有する原稿を読み取り位置に一枚ずつ自動的に搬送する原稿自動搬送手段と、該原稿自動搬送手段によって搬送中の原稿の第１の面に有る情報を読み取る第１の読取手段と、前記原稿自動搬送手段によって搬送中の原稿の第２の面に有る情報を読み取る第２の読取手段と、前記第１の読取手段のシェーディング補正を行う第１のシェーディング補正手段と、前記第２の読取手段のシェーディング補正を行う第２のシェーディング補正手段と、前記第１の読取手段において読み取られる原稿を照射する第１の光源と、前記第２の読取手段において読み取られる原稿を照射する第２の光源と、前記第１の光源の光量を検出する第１の検出手段と、前記第２の光源の光量を検出する第２の検出手段とを有する情報読取手段装置を制御するためのコンピュータ読み取り可能な制御プログラムであって、
前記原稿を複数枚連続で前記原稿自動搬送手段により搬送することにより原稿の情報を読み取る場合に、最初の原稿を読み取る前に前記第１及び第２の検出手段により前記第１及び第２の光源光量を検出した第１及び第２の初期光量値を記憶し、搬送される前記原稿と原稿との間で前記第１の検出手段及び前記第２の検出手段により前記第１及び第２の光源光量を検出し、前記光源光量が前記第１及び第２の初期光量値に対して所定以上の割合で変動した場合には、シェーディング補正を行うためのシェーディング補正係数を更新するように制御する制御工程をコンピュータに実行させるためのプログラムコードから成ることを特徴とする情報読取装置の制御プログラム。
【００９２】
［実施態様１１］  実施態様１０及び１１に記載の制御プログラムを格納したことを特徴とする記憶媒体。
【００９３】
【発明の効果】
以上説明したように、本発明によれば、両面に情報（画像）有する原稿を同時に流し読み方式で読み取る場合における読み取り情報（画像）の劣化を防止することができる。
【図面の簡単な説明】
【図１】本発明の一実施の形態に係る情報（画像）読取装置の概略構成を示す側断面図である。
【図２】本発明の一実施の形態に係る情報読取装置における原稿自動搬送装置の構成を示す側断面図である。
【図３】本実施の一実施の形態に係る情報読取装置で用いられる流し読みガラスの構成を示す底面図である。
【図４】本実施の一実施の形態に係る情報読取装置で用いられるＣＣＤ３ラインイメージセンサ部の構成を示す図である。
【図５】本実施の一実施の形態に係る情報読取装置で用いられるＣＣＤ３ラインイメージセンサ部における受光素子の拡大図である。
【図６】本実施の一実施の形態に係る情報読取装置で用いられる密着型イメージセンサ部の構成を示す図である。
【図７】本実施の一実施の形態に係る情報読取装置で用いられる信号処理部の構成を示すブロック図である。
【図８】本実施の一実施の形態に係る情報読取装置で用いられるアナログ信号処理部の構成を示すブロック図である。
【図９】本実施の一実施の形態に係る情報読取装置におけるＰＧ画像の一例を示す図である。
【図１０】本実施の一実施の形態に係る情報読取装置における階調補正の一手法を説明するための図である。
【図１１】本実施の一実施の形態に係る情報読取装置の動作の流れを示すフローチャートである。
【符号の説明】
１００      原稿自動搬送装置
１０１      イメージスキャナ部
１０２      プリンタ部
１０３      原稿台ガラス（プラテン）
１０４      原稿
１０５      キセノン管ランプ
１０６      反射ミラー
１０７      反射ミラー
１０８      レンズ
１０９      ＣＣＤ３ラインイメージセンサ部
１０９−１  センサ
１０９−２  センサ
１０９−３  センサ
１１０      信号処理部
１１１      第１のミラーユニット
１１２      第２のミラーユニット
１１３      流し読み原稿読み取りガラス
１１４      第１の標準白色板
１１８      レーザドライバ
１１９      半導体レーザ
１２０      ポリゴンミラー
１２１      ｆ−θレンズ
１２２      ミラー
１２３      感光ドラム
１２４      回転現像器
１２５      マゼンダ現像器
１２６      シアン現像器
１２７      イエロー現像器
１２８      ブラック現像器
１２９      転写ドラム
１３０      用紙カセット
１３１      用紙カセット
１３２      定着ユニット
２０１      原稿
２０２      原稿トレイ
２０３      原稿給紙ローラ
２０４      分離パッド
２０５      中間ローラ
２０６      大径ローラ
２０７      第１従動ローラ
２０８      第２従動ローラ
２０９      原稿ガイド板
２１０      ジャンプ台
２１１      第３従動ローラ
２１２      第２の基準白色板
２１３      原稿排紙ローラ対
２１４      密着型イメージセンサ部
２１４−１  センサ
２１４−２  センサ
２１４−３  センサ
２１５      （御教示下さい。）
３０１      光量基準白色板
７０１      アナログ信号処理部
７０２      シェーディング補正部
７０３      ラインメモリ
７０４      係数メモリ
７０５      乗算器
７０６      ディレイ素子
７０７      ディレイ素子
７０８      ディレイ素子
７０９      第１のＬＵＴ（ルックアップテーブル）
７１０      メモリ
７１１      ｌｏｇ変換器
７１２      ｌｏｇ変換器
７１３      ｌｏｇ変換器
７１４      第２のＬＵＴ（ルックアップテーブル）
７１５      マスキング／ＵＣＲ回路
８０１      サンプルホールド（Ｓ／Ｈ）回路
８０２      第１のクランプ回路
８０３      可変増幅器
８０４      第２のクランプ回路
８０５      Ａ／Ｄ変換器
８０６      電圧コントロール回路
【図１】
2004357144.tif 000003
【図２】
2004357144.tif 000004
【図３】
2004357144.tif 000005
【図４】
2004357144.tif 000006
【図５】
2004357144.tif 000007
【図６】
2004357144.tif 000008
【図７】
2004357144.tif 000009
【図８】
2004357144.tif 000010
【図９】
2004357144.tif 000011
【図１０】
2004357144.tif 000012
【図１１】
2004357144.tif 000013